(57)【要約】【課題】ビニルハウスのプラスチックシートは毎シーズン取り外されることが多いが、その際多数のシートホルダーを外さなければならない。ところがこの作業は高齢者や婦女子には無理だと言って良いほど力の要る困難なものであった。また、シートを傷つけてしまうことも多かった。【解決手段】シートホルダー把持部、支柱部、及びハンドル部とにより構成される器具であって、該ハンドル部はその一端が握り部分となった棒状体であり、また該シートホルダー把持部は該ハンドル部の他端近傍を支点に回動且つ着脱自在に連結されており、また該支柱部は該シートホルダー把持部の支点位置よりも中央寄りの該ハンドル部上に取設された棒状体であってその端部にはゴム状体が付設されている。【選択図】        図１
2004305158.tif 000002
【特許請求の範囲】
【請求項１】
シートホルダー把持部、支柱部、及びハンドル部とにより構成される器具であって、該ハンドル部はその一端が握り部分となった棒状体であり、また該シートホルダー把持部は該ハンドル部の他端近傍を支点に回動且つ着脱自在に連結されており、また該支柱部は該シートホルダー把持部の支点位置よりも中央寄りの該ハンドル部上に取設された棒状体であってその端部にはゴム状体が付設されているものであることを特徴とするビニルハウス用シートホルダー外し器。
【発明の詳細な説明】
【０００１】
【発明の属する技術分野】
丸パイプである鋼管を骨組みとしこれにプラスチックシートを張設することで設営される「ビニルハウス」において、該パイプに該シートを固定するためにシートホルダーが用いられているが、本発明はそのホルダーを簡単に外すための器具の構造に関するものである。なおここで「ビニルハウス」という語句は、ポリエチレンなどのプラスチックの膜体を張設することで構成されるハウス栽培用の小屋一般を指すものであって、採用されるプラスチックの種類がビニル樹脂であることを意味しない。
【０００２】
【従来の技術】
鋼管（丸パイプ）とプラスチックシートとの組み合わせで構成されるビニルハウスは、それまでの主流であったガラス温室タイプのハウスと違い建造費用が非常に安価であるがプラスチックシートはガラスに比して耐久性が劣るので、鋼管は残した状態でシートのみを不要時期には取り外して保管しておくことが多い。更に、こまめに着脱を繰り返しても数年に一度は新調しなければならない。
【０００３】
つまりプラスチックシートは、鋼管に固定したりここから外したりという作業が繰り返されるものである。従って、接着や融着といった繰り返しに耐えられない固定方法は採用されず、取り外しの容易な部材（シートホルダー）にて固定されている。
【０００４】
このシートホルダーは、一般に「パッカー」或いは単に「固定具」とも呼ばれており、図５に示すように円筒を長手方向に沿って一部切欠したような概形のものである。また主体はプラスチックであり、剛性を高めシート固定力を保持するための鋼線を伴っている。使用方法は、シートが張設された状態でシートホルダーの切欠部分を鋼管に押し当て、シートと共に鋼管に嵌め込むだけである。
【０００５】
【発明が解決しようとする課題】
このような構造・性質のシートホルダーであるので、プラスチックシート張設の際の固定具設置作業は比較的簡単である。しかし当然ながら一旦設置されたシートホルダーは、プラスチックシートの固定を堅固なものととするものであるので簡単に外すことができるものではない。また、このシートホルダーの設置個数は、規模の小さなビニルハウスの場合でも１００を超えるということも珍しくないほど多数であるので、高齢作業者或いは婦女子ではほとんど不可能な程の重労働となっている。
【０００６】
【課題を解決するための手段】
そこで本発明者は上記問題に鑑み鋭意研究の結果、本発明に係るビニルハウス用シートホルダー外し器を成し得たものであり、その特徴とするところは、シートホルダー把持部、支柱部、及びハンドル部とにより構成される器具であって、該ハンドル部はその一端が握り部分となった棒状体であり、また該シートホルダー把持部は該ハンドル部の他端近傍を支点に回動且つ着脱自在に連結されており、また該支柱部は該シートホルダー把持部の支点位置よりも中央寄りの該ハンドル部上に取設された棒状体であってその端部にはゴム状体が付設されている点にある。
【０００７】
ここで「シートホルダー把持部」とは、ビニルハウスの骨格を形成する丸パイプ（通常は鋼管）を固定するために設置されているシートホルダーを把持する部材であり、この目的を適えるための構造を有している。この構造の詳細については限定しない。但し、取り外そうとするシートホルダーの太さ（外径）が複数種あること、また把持についてはシートホルダーの最大幅部分を超えた位置まで達することができるものでなければならないことから、シートホルダー把持部は他のサイズの把持部と簡単に交換できることができるように、本体に着脱自在であるものとする。更に、一旦把持した状態で本体であるハンドル部（後述）に力を入れた時に、シートホルダーが外れるに従って該ハンドル部との連結角度が変化するほうが作業性が良好であるので、回動も自在であるものとする。材質についても特に限定はしないが、把持したシートホルダーを鋼管から外す力に耐え得るものでなければならないので、金属（鉄、アルミニウム、ステンレススチールなど）もしくは高強度のプラスチックが好適である。
【０００８】
「ハンドル部」は、シートホルダー取り外し作業時の握り部を有する部材であり、作業者はこれを握った状態で力を加えるわけであるがその際に要する力の大きさが小さくて済むようにテコの原理が採用されている。テコにおける「力点」がこのハンドル部の握り部である。
【０００９】
「支柱部」は、テコにおける「支点」を構成する部材であり、ハンドル部に固設される。固設位置は、ハンドル部上その握り部とは反対側の端部近傍であってシートホルダー把持部取り付け位置よりも内側である。つまり、本発明器具は、「釘抜き」や「栓抜き」と同様、「力点」「支点」「作用点」の順に構成されるテコであると言える。なお支柱部の先端にはゴム状体が設けられており、滑って支点位置がずれてしまうことを防止する。またこの支点位置は、取り外そうとするシートホルダーの上を基本としているが、シートホルダーの傍らであっても良い。この場合支点位置は、鋼管上ということになるが鋼管はプラスチックシートで覆われているので、この場合ゴム状体はプラスチックシートの破損防止に貢献することとなる。
【００１０】
【発明の実施の形態】
以下、本発明を図面に示す発明の実施の形態に基づいて詳細に説明する。
【００１１】
図１（ａ）（ｂ）は本発明に係るビニルハウス用シートホルダー外し器１（以下「本発明器具１」という）の一例を示すもので、図より明らかなように本発明器具１は、棒状体であるハンドル部２と、その先端に取り付けられたシートホルダー把持部３及び支柱部４とにより構成されるものである。ハンドル部２は、本例の場合長さ約３０ｃｍ、径約２ｃｍの鉄製丸パイプの先端に鉄板製延出部２１を溶接によって付設したものである。そして支柱部４は鉄製板材の先端に円錐台形状のゴム４１を取り付けたもので、ハンドル部２の端部にハンドル部２の長手方向と約１２０度の角度を成すように溶接されている。
【００１２】
シートホルダー把持部３は、ハンドル部２の延出部２１にネジ３１によって連結されており、この位置を中心に回動自在となっている。またシートホルダーを実際に把持する一対の把持板３２、３３は、シートホルダーの概形に沿った湾曲形状をしておりそれぞれの端部にはシートホルダーを切欠部分に掛かるツメ３４が設けられている。また一方の把持板３３は蝶番状回動機構を成し、バネ３５によって両ツメ３４、３４間の距離を小さくする方向に付勢されている。なお本例で採用したバネ３５はコイルスプリングであるが、上記方向の付勢ができるものであれば他の構造のものを採用しても良い（図示せず）。
【００１３】
図２は、本発明器具１の使用方法を概略的に示したものである。使用方法は至って簡単であり、シートホルダーＨ（プラスチックシートＳを巻き込む形で鋼管Ｐに嵌め込まれている）に本発明器具１のツメ３４を引っ掛け、ハンドル部２を図の矢印Ｆの方向に押してやるだけである。すると、シートホルダーＨは簡単に外れ図の鎖線で示したような状態となる。シートホルダーＨにツメ３４を引っ掛ける際には、バネ３５のバネ力に抗して本発明器具１を押し込むだけで把持板３３は自動的に回動することになるし、この押し込み作業についてもシートホルダー把持部３が本体に可回動であるので本体側の角度を気にせずシートホルダーＨにまっすぐに押し込んだ後本体側を回動させるということができるので作業性は非常に良い。また支柱部４のゴム４１が存在しているので支点位置がずれることもない。
【００１４】
取り外そうとするシートホルダーＨの大きさは、これが設置されるビニルハウスの鋼管Ｐの径に従う。一般に鋼管径は、３２ｍｍ、３８ｍｍ、４２ｍｍ、４８ｍｍのいずれかであるので、４種類でほぼ足りる。そこでこれら各サイズに対応できるように、ネジ３１を外しシートホルダー把持部３を他のサイズのものに取り替えることができるようにしている。
【００１５】
【発明の効果】
以上説明したように本発明に係るビニルハウス用シートホルダー外し器は、シートホルダー把持部、支柱部、及びハンドル部とにより構成される器具であって、該ハンドル部はその一端が握り部分となった棒状体であり、また該シートホルダー把持部は該ハンドル部の他端近傍を支点に回動且つ着脱自在に連結されており、また該支柱部は該シートホルダー把持部の支点位置よりも中央寄りの該ハンドル部上に取設された棒状体であってその端部にはゴム状体が付設されているものであることを特徴とするものであり、ビニルハウスのプラスチックシートを取り外す際に、そこに設置された多数のシートホルダーを、大きな力を要することなく簡単に外すことができ、しかもプラスチックシートを傷つける可能性も小さい、等々の効果を有する極めて高度な発明である。
【図面の簡単な説明】
【図１】（ａ）（ｂ）は本発明に係るビニルハウス用シートホルダー外し器の一例を示すものであり、（ａ）は正面図、（ｂ）は側面図である。
【図２】本発明に係るビニルハウス用シートホルダー外し器の使用方法の一例を示す概略正面図である。
【符号の説明】
１    本発明に係るビニルハウス用シートホルダー外し器
２    ハンドル部
２１  延出部
３    シートホルダー把持部
３１  ネジ
３２  把持板
３３  把持板
３４  ツメ
３５  バネ
４    支柱部
４１  ゴム
Ｈ    シートホルダー
Ｓ    プラスチックシート
Ｆ    矢印（加える力の方向）
【図１】
2004305158.tif 000003
【図２】
2004305158.tif 000004